(57)【要約】【課題】  寒い時期でも暖かく、また、掛布団等の重さを軽減し、寝心地に優れる補助布団を提供する。【解決手段】  主として寒い時期に、敷布団１と共に、または敷布団１として使用する布団であって、平面矩形状の布１１の長辺両側端部に沿って、布１１より肉厚の厚肉部１２を設ける。また、布１１の足側の短辺末端部に沿って厚肉部１２を設ける。さらに、厚肉部１２を柔軟性材料で形成する。これにより、寒い時期でも暖かく、また、掛布団等の重さを軽減して、寝心地に優れる補助布団を形成する。【選択図】        図４
0003122108.tif 000002
【実用新案登録請求の範囲】
【請求項１】
主として寒い時期に，敷布団（１）と共に使用する布団であって、平面矩形状の布（１１）の長辺両側端部に沿って筒状部（１１ａ）を形成し，該筒状部に，綿や発泡スチロールなどの厚肉形成材（１３）を詰めて厚肉部（１２）を形成してなる補助布団。
【請求項２】
主として寒い時期に，敷布団（１）と共に使用する布団であって、平面矩形状の布（１１）の長辺両側端部と足側の短辺末端部に沿って筒状部（１１ａ）を形成し，該筒状部に，綿や発泡スチロールなどの厚肉形成材（１３）を詰めて厚肉部（１２）を形成してなる補助布団。
【考案の詳細な説明】
【技術分野】
【０００１】
本考案は、暖かく、かつ、掛布団等の重さを軽減し、優れた寝心地を提供することのできる補助布団に関するものである。
【背景技術】
【０００２】
一般に、寝床は、敷布団の上に掛布団等を掛けて形成する。こうした寝床は、寒い時期において、二つの問題がある。一つは、敷布団と掛布団等との間から寒気が容易に入り込むので暖かさに欠けることである。もう一つは、寒い時期は厚い掛布団を掛けたり、掛布団の他に毛布等を掛けるので、重苦しく圧迫感を感じ、寝心地が悪いことである。
【０００３】
本考案はこうした問題に鑑み創案されたもので、寒い時期でも暖かく、また、掛布団等の重さを軽減し、寝心地に優れる補助布団を提供することを課題とする。
【考案の開示】
【課題を解決するための手段】
【０００４】
図１乃至図３を参照して説明する。請求項１に記載の補助布団１０は、主として寒い時期に、敷布団１と共に使用する布団であって、平面矩形状の布１１の長辺両側端部に沿って筒状部１１ａを形成し、その筒状部１１ａに綿や発泡スチロールなどの厚肉形成材１３を詰めて厚肉部１２を形成したものである。
【０００５】
なお、厚肉形成材１３としては、綿や発泡スチロールの他に、スポンジ、布材、毛糸など多種のものを使用することができる。
【０００６】
図６乃至図８を参考にして説明する。請求項２に記載の補助布団は、主として寒い時期に、敷布団１と共に使用する布団であって、平面矩形状の布１１の長辺両側端部と足側の短辺末端部に沿って筒状部１１ａを形成し、その筒状部１１ａに綿や発泡スチロールスポンジなどの厚肉形成材１３を詰めて厚肉部１２を形成したものである。
【考案の効果】
【０００７】
請求項１に記載の補助布団１０は、布１１の長辺両側端部に厚肉部１２を設けたので、寒い時期でも暖かく、また、掛布団２等の重さを軽減することができる。すなわち、例えば、図４に示すように、補助布団１０を敷布団１の上に敷き、その上に掛布団２を掛ける場合には、厚肉部１２の上端面と掛布団２の両側端部下面とが密着状態となり、かつ、布１１と掛布団２との間には適度の空間が形成されるので、就寝者が手足を動かしたり、寝返りを打っても当該密着状態を保つことができる。従って、補助布団１０と掛布団２との間から寒気が入り込むことがなく、寝床内を暖かく保つことができる。
【０００８】
また、この補助布団１０は、その厚肉部１２によって掛布団２の両側端部をやや持ち上げた状態とするので、当該掛布団２の重さが軽減され、就寝者に重苦しさや圧迫感を感じさせない。従って、寝心地に優れる。
【０００９】
請求項２に記載の補助布団１０は、請求項１に記載の考案と同様に、暖かく、重苦しさや圧迫感のない寝心地に優れる寝床を提供することができる。また、布１１の足側の短辺末端部にも厚肉部１２を設けたので、足側の末端部からの寒気の入り込みも防止することができる。従って、さらに暖かい寝床を提供することができる。また、この厚肉部１２によって、掛布団２の足側の末端部をやや持ち上げるので、当該掛布団２の重さをさらに軽減することができる。これにより、重苦しさと圧迫感をさらに軽減して、きわめて寝心地の良い寝床とすることができる。
【考案を実施するための最良の形態】
【００１０】
本考案に係る補助布団１０の第一実施形態を、図１乃至図３に示す。これは、主として寒い時期に、敷布団１と共に使用する布団であり、平面矩形状の布１１の長辺両側端部の全長にわたって、当該両側端部を丸めて筒状部１１ａを形成し、その筒状部１１ａに綿や発泡スチロールなどの軟質の厚肉形成材１３を詰め込んで厚肉部１２を形成したものである。なお、厚肉部１２の高さは、限定されないが、１５ｃｍ程度が適当である。
【００１１】
この補助布団１０は、あらゆる態様で使用することができる。例えば、図４に示すように、敷布団１の上に敷き、その上にシーツ３を被せ、さらにその上に掛布団２を掛けて使用することができる。
【００１２】
また、図５に示すように、補助布団１０の上に敷布団１を敷き、シーツ３を介して、その上に掛布団２を掛けて使用することもできる。なお、図中、符号４は枕を示す。
【００１３】
本実施形態に係る補助布団１０は、厚肉部１２を設けているので、例えば、図４に示す場合では、当該厚肉部１２の上端面と掛布団２の両側端部下面とをシーツ３を介して密着状態とし、かつ、布１１と掛布団２との間に適度の空間を形成するので、就寝者が手足を動かしたり、寝返りを打っても当該密着状態は保たれる。従って、補助布団１０と掛布団２との間から寒気が入り込むことがなく、寝床内を暖かく保つことができる。また、図５に示す場合では、敷布団１の両側端部上面と掛布団２の両側端部下面とが密着状態となるので、同様の効果を得ることができる。
【００１４】
また、この補助布団１０は、その厚肉部１２によって掛布団２の両側縁部をやや持ち上げた状態としているので、掛布団２の重さが軽減され、就寝者は、重苦しさや圧迫感を感じない。従って、寝心地に優れる。
【００１５】
本考案に係る補助布団１０の第二実施形態を、図６乃至図８に示す。この補助布団１０は、布１１の長辺両側端部に設けた厚肉部１２の他に、足側の短辺末端部にも、布１１を丸めて筒状部１１ａを形成し、その中に厚肉形成材１３を詰め込んで厚肉部１２を形成したことを特徴としている。この補助布団１０も、図４および図５に示す形態で使用することができる。
【００１６】
本実施形態に係る補助布団１０は、寒気が足側の末端部から入り込むのを防止することができるので、さらに暖かい寝床を形成することができる。また、この厚肉部１２によって、掛布団２の足側の末端部もやや持ち上げるので、当該掛布団２の重さをさらに軽減することができる。これにより、重苦しさと圧迫感をより少なくして、さらに寝心地の良い寝床とすることができる。
【００１７】
なお、本考案に係る補助布団１０は、ベッドの上に敷いて使用することもできる。この場合、暖かさを確保し、掛布団２の重さを軽減するといった効果の他に、掛布団２がずり落ち難くなるといった利点もある。
【００１８】
底の布１１の幅Ｗは、普通の敷布団の幅で良いが、人の体格によっては効果が違って来るので、Ｓ寸の人には５〜６ｃｍ幅狭にした方が良い。
【００１９】
厚肉部１２の中身の詰物は、縦の長さを３つに区切って入れ、補助布団を畳めるようにすると便利である。
【００２０】
厚肉部１２の詰物の中には、布やスポンジ等で作ったしっかりした棒状のものを芯材として入れると良い。
【００２１】
この考案品を使用すると暖かく、室温を下げて休むことが出来るので、省エネに役立ち、空気汚染を僅かながら抑えることが出来、老人養護施設等にとって有効である。
【図面の簡単な説明】
【００２２】
【図１】本考案の第一実施形態に係る補助布団を示す平面図である。
【図２】図１に示す補助布団の側面図である。
【図３】図１に示す補助布団の正面図である。
【図４】本考案に係る補助布団の使用形態を示す正面図である。
【図５】本考案に係る補助布団の他の使用形態を示す正面図である。
【図６】本考案の第二実施形態に係る補助布団を示す平面図である。
【図７】図６に示す補助布団の側面図である。
【図８】図６に示す補助布団の正面図である。
【符号の説明】
【００２３】
１        敷布団
２        掛布団
３        シーツ
４        枕
１０      補助布団
１１      布
１１ａ    筒状部
１２      厚肉部
１３      厚肉形成材
Ｗ        布の幅
【図１】
0003122108.tif 000003
【図２】
0003122108.tif 000004
【図３】
0003122108.tif 000005
【図４】
0003122108.tif 000006
【図５】
0003122108.tif 000007
【図６】
0003122108.tif 000008
【図７】
0003122108.tif 000009
【図８】
0003122108.tif 000010